(57)【特許請求の範囲】
【請求項１】
情報検索サーバー（２００）が、ネットワークを介して接続したユーザー端末（１００）から入力された検索情報を利用して法令及び判例のうち少なくとも一つを含む情報検索を行って、
前記検索を介して抽出された少なくとも一つ以上の検索結果情報を分析して予め設定された条件情報を抽出して、
前記抽出された条件情報を利用して前記検索結果情報間の類似度、参照関係、上下関係のうち少なくとも一つを含む関連度によって前記検索結果情報を分類して、
前記条件情報を基準に前記分類された検索結果情報間の関連性が視覚化されるように任意の２次元形状及び３次元形状に配置したナビゲーション画面（４００）に出力することを特徴とする、視覚化ナビゲーション方式の法律情報サービスシステム。
【請求項２】
前記情報検索サーバー（２００）は、
ユーザー端末（１００）から入力された検索情報を分析して少なくとも一つの検索クエリーを抽出する質疑分析モジュール（２１０）と、
前記抽出された検索クエリーを基に情報検索データベース（２４０）で検索を行って前記検索クエリーと関連した法令及び判例のうち少なくとも一つ以上の検索結果情報を抽出して、前記検索結果情報から予め設定された条件情報を抽出して、前記抽出された条件情報を用いて検索結果情報間の類似度、参照関係、上下関係のうち少なくとも一つを含む関連度によって検索結果情報を分類する情報検索モジュール（２２０）と、
前記条件情報を基準に前記分類された検索結果情報間の関連性が視覚化されるように任意の２次元形状及び３次元形状に配置して視覚化するナビゲーションモジュール（２３０）と、
任意の電子情報を格納して、前記情報検索モジュール（２２０）の要請に応じて検索を行って検索結果情報を提供する情報検索データベース（２４０）と、を含むことを特徴とする、請求項１に記載の視覚化ナビゲーション方式の法律情報サービスシステム。
【請求項３】
前記ナビゲーションモジュール（２３０）は、前記検索結果情報を個別的に区分して表示するかまたは任意の関連性を持つグループでクラスタリングして表示することを特徴とする、請求項２に記載の視覚化ナビゲーション方式の法律情報サービスシステム。
【請求項４】
前記ナビゲーションモジュール（２３０）は、前記検索結果情報を関連度が高い別の条件情報とリンクを介して互いに連結して表示されるようにすることを特徴とする、請求項２に記載の視覚化ナビゲーション方式の法律情報サービスシステム。
【請求項５】
前記ナビゲーションモジュール（２３０）は、ユーザー端末（１００）から前記ナビゲーション画面（４００）に出力される検索結果情報及び条件情報の何れかのドラッグ情報が入力されると、前記検索結果情報及び条件情報とリンクを介して連結された別の検索結果情報及び条件情報がドラッグされた方向に沿って共に移動して表示されるようにすることを特徴とする、請求項３に記載の視覚化ナビゲーション方式の法律情報サービスシステム。
【請求項６】
前記検索結果情報は、判例情報、論文情報、法令情報、苦情情報、任意の情報を提供するために作成された文書情報中少なくとも一つを含むことを特徴とする、請求項２に記載の視覚化ナビゲーション方式の法律情報サービスシステム。
【請求項７】
前記条件情報は、法令情報、日付情報、予め設定された技術、社会、経済、科学、流通、音楽、美術、教育、サービスを含んだ分類情報中少なくとも一つを含むことを特徴とする、請求項２に記載の視覚化ナビゲーション方式の法律情報サービスシステム。
【請求項８】
前記ナビゲーションモジュール（２３０）は、ユーザー端末（１００）を介して前記ナビゲーション画面（４００）に出力される検索結果情報及び条件情報の何れかの選択情報が入力されると、前記選択情報と関連してナビゲーション画面（４００）上に表示される検索結果情報及び条件情報が視覚的にハイライト表示されるように活性化することを特徴とする、請求項２に記載の視覚化ナビゲーション方式の法律情報サービスシステム。
【請求項９】
前記ナビゲーションモジュール（２３０）は、前記選択される情報をナビゲーション画面（４００）上に少なくとも一つのポップアップ画面（５００，６００）に出力することを特徴とする、請求項８に記載の視覚化ナビゲーション方式の法律情報サービスシステム。
【請求項１０】
前記ポップアップ画面（５００）は、選択された情報と連動された詳細情報であることを特徴とする、請求項９に記載の視覚化ナビゲーション方式の法律情報サービスシステム。
【請求項１１】
ａ）情報検索サーバー（２００）が、ネットワークを介して接続したユーザー端末（１００）から入力された検索情報を利用して法令及び判例のうち少なくとも一つを含む情報検索を行う段階と、
ｂ）前記情報検索サーバー（２００）が、検索を介して抽出された少なくとも一つ以上の検索結果情報を分析して予め設定された条件情報を抽出して、前記抽出された条件情報を利用して検索結果情報間の類似度、参照関係、上下関係のうち少なくとも一つを含む関連度によって前記検索結果情報を分類する段階と、
ｃ）前記情報検索サーバー（２００）が、前記条件情報を基準に前記分類された検索結果情報間の関連性が視覚化されるように任意の２次元形状または３次元形状に配置したナビゲーション画面（４００）に出力する段階と、を含むことを特徴とする、視覚化ナビゲーション方式の法律情報サービス方法。
【請求項１２】
ｄ）前記情報検索サーバー（２００）が、ユーザー端末（１００）を介して前記ナビゲーション画面（４００）に出力される検索結果情報及び条件情報の何れかの選択情報が入力されると、前記選択された情報を前記ナビゲーション画面（４００）上に少なくとも一つのポップアップ画面（５００，６００）に出力する段階をさらに含むことを特徴とする、請求項１１に記載の視覚化ナビゲーション方式の法律情報サービス方法。
【請求項１３】
前記ａ）段階は、
抽出された検索クエリーを基に情報検索データベース（２４０）で検索を行って前記検索クエリーと関連した法令及び判例のうち少なくとも一つを含む検索結果情報を抽出する１次情報検索段階と、
前記１次情報検索結果情報から予め設定された条件情報を抽出する２次情報検索段階と、を含むことを特徴とする、請求項１１に記載の視覚化ナビゲーション方式の法律情報サービス方法。
【請求項１４】
前記ｂ）段階は、
前記２次情報検索段階で抽出された条件情報を利用して検索結果情報間の法令と判例の関係網、法令間の関係網、及び前記法令間の関係網と法令と判例の関係網によるフィルタリング条件を全て含む統合関係網のうち少なくとも一つを含んで分類して、検索結果情報の関連度に応じてリンクを介して互いに連結して表示されるようにする段階を含むことを特徴とする、請求項１３に記載の視覚化ナビゲーション方式の法律情報サービス方法。
【発明の詳細な説明】
【技術分野】
【０００１】
本発明は、視覚化ナビゲーション方式の法律情報サービスシステム及び方法に関する発明であって、より詳細にはユーザーが入力した情報から検索クエリーを抽出して法律情報の検索を行い、検索された法律情報を２次元形状または３次元形状で配置して視覚化したナビゲーション画面で提供する視覚化ナビゲーション方式の法律情報サービスシステム及び方法に関する。
【背景技術】
【０００２】
一般に情報検索サービスを提供するサービスシステムは、ユーザーから検索語が入力されるとその検索語に対応する検索結果として、例えば、検索語を含むウェブサイト、検索語を含む記事、検索語を含むファイル名を有するイメージ等の検索結果をユーザーに提供する。
【０００３】
しかし、ユーザーは、ウェブページまたは検索プログラムを介して情報を検索する場合、検索エンジンに適した質疑を生成できず所望の検索結果の提供を受けることができなくなり、これによりユーザーは満足するほどの情報を得るまで検索されたサイトを移動しながら所望の情報を検索する。
【０００４】
つまり、ユーザーは、最初から所望の結果物のキーワードを持って所望の検索結果を直ちに得ることができず、所望の検索結果を得るためには多くの試行錯誤を必然的に経なければならない。
【０００５】
このような試行錯誤は、ユーザーが自ら知っているキーワードを基に検索を行って、以後検索された結果を基に次のキーワードを決めて次の検索を試みる繰り返し過程において質疑文章を構成する単語は、追加されたり削除されることを繰り返す。
【０００６】
特許、法律情報の場合は、大きく判例と法令からなるが、判例と法令が複雑に互いに連結されて全体を理解しながら検索するのが難しいという問題点がある。
【０００７】
韓国登録特許公報登録番号第１０−１２００３６７号（発明の名称「統合法律情報サービス方法及びシステム」）には、法律情報を提供するサイト上でユーザーから検索語の入力を受けると、その検索語に基づいて論文や判例、法令、苦情等に対する各国別検索結果情報を受信して、視覚的な世界地図形態の情報地図で提供すると共に、その検索語に該当する関連語を判例、法令、論文等の分野別に抽出して、抽出した関連語を検索語を中心に各分野別ツリー構造形態の情報で提供して、その検索語が含まれた判例、法令、論文、苦情などの国内情報に対する件数を基準に年度別動向をグラフ形態で提供して、ユーザーが検索結果を認識できるように構成された統合法律情報サービス方法及びシステムが開示されている。
【０００８】
しかし、従来技術に係る情報検索サービスシステムや方法は、ユーザーの最初の質疑に最も符合する検索結果のみを提供するだけであって、ユーザーが質疑文を修正して質疑の範囲を拡大したり縮小させて、類似の検索語を含んだ関連法律情報が提供できなくてユーザーが多くの情報検索を繰り返さなければならないという問題点がある。
【０００９】
また、従来の情報検索サービスシステムや方法は、検索結果を線形的なリスト形態で提供してユーザーが所望の情報を得るまで検索結果を選択し続けて確認することによって、ユーザーの検索時間を増加させて、検索業務の効率を減少させるという問題点がある。
【００１０】
さらに、従来の情報検索サービスシステム及び方法は、検索された法令情報と判例情報、論文情報を各々区分して提供するだけであって、例えば、質疑文に関連した判例と法令との間の関連性及び法令と法令との間の関連性に対する情報と、各判例から引用された法令情報の間の関連性に対する情報と、各判例から引用された法令情報の間の関連性等２次的に連結された情報は提供できないという問題点がある。
【００１１】
さらに、従来の情報検索サービスシステム及び方法は、例えば、検索された判例、法令情報等に対する線形的な情報のみ提供するだけであって、視覚的な関連情報を介して直接フィルタリングできないという問題点がある。
【００１２】
さらに、従来の情報検索は、判例検索と法令検索が分離して行われて、二つの情報の同時性情報を提供できなくて、判例と法令の前提知識構造を示すことができないという問題点がある。
【先行技術文献】
【特許文献】
【００１３】
【特許文献１】韓国特許第１０−１２００３６７号明細書
【発明の概要】
【発明が解決しようとする課題】
【００１４】
このような間題点を解決するために、本発明は、ユーザーが入力した情報から検索クエリーを抽出して法律情報の検索を行って、検索された法律情報を２次元形状または３次元形状で配置して視覚化したナビゲーション画面で提供する視覚化ナビゲーション方式の法律情報サービスシステム及び方法を提供することを目的とする。
【課題を解決するための手段】
【００１５】
上記の目的を達成するために本発明は、視覚化ナビゲーション方式の法律情報サービスシステムを提供し、システムは、情報検索サーバーが、ネットワークを介して接続したユーザー端末で入力された検索情報を利用して情報検索を行って、前記検索を介して抽出された少なくとも一つ以上の検索結果情報を分析して予め設定された条件情報を抽出して、前記抽出された条件情報に応じて前記検索結果情報を分類して、前記分類された検索結果情報を前記条件情報を基準に任意の２次元形状及び３次元形状で視覚化したナビゲーション画面に出力することを特微とする。
【００１６】
さらに、本発明に係る前記情報検索サーバーは、ユーザー端末で入力された検索情報を分析して少なくとも一つの検索クエリー（Ｑｕｅｒｙ）を抽出する質疑分析モジュールと、前記抽出された検索クエリーを基に情報検索データベース（ＤＢ）で検索を行って前記検索クエリーと関連した少なくとも一つ以上の検索結果情報を抽出して、前記検索結果情報から予め設定された条件情報を抽出して予め設定された判断基準により区分して、前記区分された条件情報に応じて検索結果情報を分類する情報検索モジュールと、前記分類された検索結果情報を前記区分された条件情報を基準に２次元形状及び３次元形状で配置して視覚化するナビゲーションモジュールと、任意の電子情報を格納して、前記情報検索モジュールの要請に応じて検索を行って検索結果情報を提供する情報検索ＤＢと、を含むことを特微とする。
【００１７】
さらに、本発明に係る前記ナビゲーションモジュールは、前記検索結果情報を個別的に区分して表示したり、または任意の関連性を持つグループでクラスタリング（ｃｌｕｓｔｅｒｉｎｇ）して表示したりすることを特微とする。
【００１８】
さらに、本発明に係る前記ナビゲーションモジュールは、前記検索結果情報を関連度が高い別の条件情報とリンクを介して相互連結して表示されるようにすることを特微とする。
【００１９】
さらに、本発明に係る前記ナビゲーションモジュールは、ユーザー端末から前記ナビゲーション画面に出力される検索結果情報及び条件情報の何れかのドラッグ情報が入力されると、前記検索結果情報及び条件情報とリンクを介して連結された別の検索結果情報及び条件情報がドラッグされる方向に沿って共に移動して表示されるようにすることを特微とする。
【００２０】
さらに、本発明に係る前記検索結果情報は、判例情報、論文情報、法令情報、苦情情報、任意の情報を提供するために作成された文書情報中少なくとも一つを含むことを特微とする。
【００２１】
さらに、本発明に係る前記条件情報は、法令情報、日付情報、予め設定された技術、社会、経済、科学、流通、音楽、美術、教育、サービスを含んだ分類情報中少なくとも一つを含むことを特微とする。
【００２２】
さらに、本発明に係る前記ナビゲーションモジュールは、ユーザー端末を介して前記ナビゲーション画面に出力される検索結果情報及び条件情報の何れかの選択情報が入力されると、前記選択情報と関連してナビゲーション画面上に表示される検索結果情報及び条件情報が視覚的にハイライト表示されるように活性化することを特微とする。
【００２３】
さらに、本発明に係る前記ナビゲーションモジュールは、前記選択される情報をナビゲーション画面上に少なくとも一つのポップアップ画面に出力することを特微とする。
【００２４】
さらに、本発明に係る前記ポップアップ画面は、選択された情報と連動された詳細情報であることを特微とする。
【００２５】
さらに、本発明は、情報検索方法として、ａ）情報検索サーバーがネットワークを介して接続したユーザー端末で入力された検索情報を利用して情報検索を行う段階と、ｂ）前記情報検索サーバーが検索を介して抽出された少なくとも一つ以上の検索結果情報を分析して予め設定された条件情報を抽出して、前記抽出された条件情報に応じて前記検索結果情報を分類する段階と、ｃ）前記情報検索サーバーが、分類された検索結果情報を前記条件情報を基準に任意の２次元形状または３次元形状で視覚化したナビゲーション画面に出力する段階と、を含む。
【００２６】
さらに、本発明に係る前記情報検索方法は、ｄ）ユーザー端末を介して前記ナビゲーション画面に出力される検索結果情報及び条件情報の何れかの選択情報が入力されると、前記選択された情報を前記ナビゲーション画面上に少なくとも一つのポップアップ画面に出力する段階をさらに含むことを特微とする。
【００２７】
さらに、本発明に係る前記ａ）段階は、抽出された検索クエリーを基に情報検索ＤＢで検索を行って前記検索クエリーと関連した少なくとも一つ以上の検索結果情報を抽出する１次情報検索段階と、前記１次情報検索結果情報から予め設定された条件情報を抽出する２次情報検索段階と、を含むことを特微とする。
【００２８】
さらに、本発明に係る前記ｂ）段階は、前記２次情報検索段階で抽出された条件情報を予め設定された判断基準により区分して、前記区分された条件情報に応じて関連した検索結果情報を分類して、情報の関連度に応じてリンクを介して相互連結して表示されるようにする段階を含むことを特微とする。
【発明の効果】
【００２９】
本発明は、ユーザーが入力した情報から検索クエリーを抽出して法律情報の検索を行って、検索された法律情報を２次元形状または３次元形状で配置して視覚化したナビゲーション画面で提供することによって、ユーザーが検索された情報を直観的でかつ容易に認識できる長所がある。
【００３０】
さらに、本発明は、検索結果を視覚化して提供することによって、ユーザーが検索結果を容易に確認できて、検索情報の探索時間を減少させることができ、法律情報検索業務の効率を向上させることができる長所がある。
【００３１】
さらに、本発明は、検索結果を検索された結果の間の類似度、参照関係、上下関係等を含んだ関連度により分類して連結した後、その検索結果の間の分類と連結状態を視覚化して提供することによって、ユーザーが検索結果を容易に探索できる長所がある。
【００３２】
さらに、本発明は、質疑文に関連した法令と判例の関係網及び法令間の関係網を同時に示して複雑な法律体系を容易に理解して直観的に結果を探索できる長所がある。
【図面の簡単な説明】
【００３３】
【図１】本発明に係る視覚化ナビゲーション方式の法律情報サービスシステムを示した例示図である。
【図２】本発明に係る視覚化ナビゲーション方式の法律情報サービスシステムの情報検索サーバーを示したブロック図である。
【図３】本発明に係る視覚化ナビゲーション方式の法律情報サービスシステムの情報検索モジュールを示したブロック図である。
【図４】本発明に係る視覚化ナビゲーション方式の法律情報サービスシステムの検索過程を示したフローチャートである。
【図５】本発明に係る視覚化ナビゲーション方式の法律情報サービスシステムを介して検索語を入力する画面を示した例示図である。
【図６】本発明に係る視覚化ナビゲーション方式の法律情報サービスシステムを介して入力された検索語に応じた法律情報検索結果をナビゲーション画面で示した例示図である。
【図７】図６に係るナビゲーション画面で選択した検索結果の活性化状態を示した例示図である。
【図８】図６に係るナビゲーション画面を介して選択した検索結果のポップアップ画面を示した例示図である。
【図９】図６に係るナビゲーション画面を介して選択した別の検索結果のポップアップ画面を示した例示図である。
【発明を実施するための形態】
【００３４】
以下、添付図面を参照して本発明に係る視覚化ナビゲーション方式の法律情報サービスシステム及び方法の好ましい実施形態を詳細に説明する。
【００３５】
本明細書において、ある部分がある構成要素を“含む”との表現は、別の構成要素を排除するのではなく別の構成要素をさらに包含できるということを意味する。
【００３６】
さらに、“‥部”、“‥器”、“‥モジュール”等の用語は、少なくとも一つの機能や動作を処理する単位を意味して、これはハードウェアやソフトウェア、または、その二つの結合で区分されることができる。
【００３７】
図１は、本発明に係る視覚化ナビゲーション方式の法律情報サービスシステムを示した例示図であり、図２は、本発明に係る視覚化ナビゲーション方式の法律情報サービスシステムの情報検索サーバーを示したブロック図であり、図３は、本発明に係る視覚化ナビゲーション方式の法律情報サービスシステムの情報検索モジュールを示したブロック図であり、図４は、本発明に係る視覚化ナビゲーション方式の法律情報サービスシステムの検索過程を示したフローチャートであり、図５乃至図９は、本発明に係る視覚化ナビゲーション方式の法律情報サービスの過程を示した例示図である。
【００３８】
図１乃至図９に示すように、本発明に係る視覚化ナビゲーション方式の法律情報サービスシステムは、ユーザー端末１００と、情報検索サーバー２００とを含んで構成される。
【００３９】
前記ユーザー端末１００は、キーボード、マウス、タッチパッド、タッチスクリーン等の入力手段と、ディスプレイ画面を備えたデスクトップＰＣ、ノートブックＰＣ、タブレットＰＣ、スマートフォン等の端末であって、またこれに限定されず、検索情報及び選択情報の入力と、検索された結果情報をディスプレイできるアプリケーションプログラムの設置が可能なデジタル情報の処理が可能な構成であればいずれも含まれることができる。
【００４０】
前記情報検索サーバー２００は、インターネツト等のネットワークを介して接続したユーザー端末１００で入力された検索情報を利用して情報検索を行って、前記検索を介して抽出された少なくとも一つ以上の検索結果情報を分析して予め設定された条件情報を抽出して、前記抽出された条件情報に応じて前記検索結果情報を分類して、前記分類された検索結果情報を前記条件情報を基準に任意の２次元形状または３次元形状で視覚化したナビゲーション画面４００に出力されるようにする構成であって、質疑分析モジュール２１０と、情報検索モジュール２２０と、ナビゲーションモジュール２３０と、情報検索ＤＢ２４０とを含んで構成される。
【００４１】
前記質疑分析モジュール２１０は、ユーザー端末１００から入力された質疑単語、質疑文章などの検索情報を分析して、少なくとも一つの検索クエリー（Ｑｕｅｒｙ）を抽出する構成として、入力された質疑単語、質疑文章から情報検索ＤＢ２４０に質疑するための検索クエリーを生成する。
【００４２】
つまり、ユーザーがユーザー端末１００を介して入力画面３００の入力ウィンドウ３１０に質疑単語または質疑文章などの検索語３１１を入力すると、前記入力された質疑単語または質疑文章の検索語３１１からキーワード抽出などの検索に必要なクエリーを生成する。
【００４３】
前記検索クエリーは、質疑単語または質疑文章に含まれた名詞だけ抽出する方法から機械的な学習を介して質疑文章において核心的なキーワードを抽出する方法も可能である。
【００４４】
前記情報検索モジュール２２０は、前記質疑分析モジュール２１０で抽出された検索クエリーを基に情報検索ＤＢ２４０で検索を行って前記検索クエリーと関連した少なくとも一つ以上の検索結果情報を抽出して、前記検索結果情報から予め設定された条件情報を抽出して予め設定された判断基準により区分して、前記区分された条件情報に応じて検索結果情報を分類する構成として、情報検索部２２１と、関連情報検索部２２２と、検索情報分析部２２３とを含んで構成される。
【００４５】
前記情報検索部２２１は、抽出された検索クエリーを基に情報検索ＤＢ２４０で検索を行って前記検索クエリーと関連した少なくとも一つ以上の検索結果情報を抽出する。
【００４６】
さらに、前記検索結果情報は、判例情報、論文情報、法令情報、苦情情報、任意の情報を提供するために作成された文書情報などを含む。
【００４７】
前記関連情報検索部２２２は、前記情報検索部２２１で抽出された検索結果情報を分析して予め設定された条件情報を抽出する。
【００４８】
つまり、前記関連情報検索部２２２は、抽出された検索結果情報から法令情報、作成日などの日付情報、技術、社会、経済、科学、流通、音楽、美術、教育、サービスを含む分野情報などの条件情報を抽出する。
【００４９】
前記検索情報分析部２２３は、前記関連情報検索部２２２で抽出された条件情報を予め設定された判断基準により区分して、前記区分された条件情報に応じて関連した検索結果情報を分類する分析過程を行う。
【００５０】
つまり、前記検索情報分析部２２３は、単に検索クエリーと関連した情報が文書に含まれた頻度数により検索結果を分類するのではなく、前記検索クエリーが含まれるかまたは関連した情報が含まれた法令、作成日、分野などに応じて分類して文書情報の類似度を判断することによって、ユーザーが検索しようとする情報をより認識し易くするようにする。
【００５１】
さらに、前記検索情報分析部２２３は、検索された情報の間の類似度と共に検索された情報の間の参照関係（例えば、法令、判例における‘準用’、‘引用’関係）と、検索された情報の間の階層的構造に係る上下関係（例えば、‘法令−施行令−施行規則’などの上下関係）に応じて検索された情報の間の関連度を分類することによって、ユーザーが種々の基準に分類された情報の提供を受けるようにする。
【００５２】
さらに、前記検索情報分析部２２３は、検索情報の検索頻度数に応じて条件情報を順位化して、前記順位化情報をナビゲーションモジュール２３０に提供する。
【００５３】
前記ナビゲーションモジュール２３０は、前記情報検索モジュール２２０で分類された検索結果情報を前記情報検索モジュール２２０で区分された条件情報を基準に２次元形状及び３次元形状で配置して視覚化する構成として、検索結果情報を法令により分類した２次元の四角メニュー形状、コンボボタン形状、グラフ形状、３次元のいが栗形状など、前記検索結果情報を作成日付または任意の統計により分類して視覚化した情報がディスプレイされるようにする。
【００５４】
つまり、ナビゲーションモジュール２３０は、ナビゲーション画面４００を一定の大きさで分割して、分割された画面の一方の側は、２次元配列を介して検索結果情報と条件情報がディスプレイされるようにし、分割された画面の他方の側は、３次元配列を介して検索結果情報と条件情報がディスプレイされるようにする。
【００５５】
さらに、前記ナビゲーションモジュール２３０は、前記検索結果情報を条件情報（例えば、法令情報）の周辺に個別的に表示するかまたは前記検索結果情報の中から関連分野、作成日付、判例の審査機関など特定情報に対する関連性を持つグループでクラスタリング（ｃｌｕｓｔｅｒｉｎｇ）して表示する。
【００５６】
さらに、前記ナビゲーションモジュール２３０は、前記検索結果情報を関連度が高い別の条件情報とリンクを介して相互連結してディスプレイ画面に表示されるようにする。
【００５７】
つまり、検索結果情報中互いに異なる条件情報、例えば、検索された判例中二つ以上の法令と関連があると、リンクを介して前記関連した法令との関連度が表示されるようにする。
【００５８】
さらに、前記ナビゲーションモジュール２３０は、ユーザー端末１００から前記ナビゲーション画面４００に出力される検索結果情報及び条件情報の何れかのドラッグ情報が入力されると、前記検索結果情報及び条件情報とリンクを介して連結された別の検索結果情報及び条件情報も前記ドラッグを介して検索結果情報及び条件情報が移動する方向に沿って共に移動して表示されるようにする。
【００５９】
さらに、前記ナビゲーションモジュール２３０は、ユーザー端末１００を介して前記ナビゲーション画面４００に出力される検索結果情報及び条件情報の何れかの選択情報が入力されると、前記選択された情報を前記ナビゲーション画面４００上に少なくとも一つ以上のポップアップ画面５００，６００に出力されるように活性化させる。
【００６０】
さらに、前記ナビゲーションモジュール２３０は、前記選択情報が入力されると、前記選択情報と関連してナビゲーション画面４００上に表示される検索結果情報及び条件情報が視覚的にハイライト表示されるように活性化させる。
【００６１】
さらに、前記ナビゲーションモジュール２３０は、ハイライト表示されて視覚的に活性された検索結果情報及び条件情報を選択すると非活性化されるようにする。
【００６２】
前記ポップアップ画面５００，６００は、検索結果情報と連動された詳細情報が出力されるようにする。例えば、ユーザーが法令情報４２２ａを選択すると、選択された法令情報４２２ａと連動された詳細情報がディスプレイされるように活性化して、ユーザーが判例情報４２３ａを選択すると、選択された判例情報４２３ａと連動された詳細情報がディスプレイされるように活性化する。
【００６３】
前記情報検索ＤＢ２４０は、判例、法令、論文、科学技術、苦情、技術明細書などの電子情報を格納して、前記情報検索モジュール２２０の検索要請に応じて検索を行って検索結果情報を提供する。
【００６４】
さらに、前記情報検索ＤＢ２４０は、ネットワークを介して連結されて特定情報を提供する外部ＤＢであってもよい。
【００６５】
次に、本発明に係る視覚化ナビゲーション方式の法律情報サービスシステムの法律情報サービスの過程を説明する。
【００６６】
本発明に係る情報検索方法は、情報検索サーバー２００がネットワークを介して接続したユーザー端末１００から入力された質疑語、質疑文章を含む検索情報を利用して検索クエリーを生成する（Ｓ１００）。
【００６７】
つまり、前記情報検索サーバー２００は、ネットワークを介して接続したユーザー端末１００の画面上に、図５のような入力画面３００を出力して、前記入力画面３００は、ユーザーが検索語３１１を入力する入力ウィンドウ３１０と、前記検索語３１１と関連した検索結果情報をフィルタリングする条件情報の入力を受ける第１フィルタリング情報入力部３２０と、前記検索語３１１と関連した検索結果情報をフィルタリングして幾何学的関係網で視覚化する条件情報の入力を受ける第２フィルタリング情報入力部３３０とが提供される。
【００６８】
つまり、前記第１フィルタリング情報入力部３２０は、検索語について例えば、‘単語ネットワーク’、‘法律’、‘判例'のような特定条件情報だけフィルタリングすることができるように選択情報の入力を受けることができるようにする。
【００６９】
前記‘単語ネットワーク’は、質疑語入力時、関連単語を提供して、前記関連単語を選択すると質疑語として機能して新しい検索結果が提供されるようにする。
【００７０】
さらに、前記‘法律’は、質疑語入力時、検索される法令の名称を関連性の高い順に提供して、法令の種類に応じたフィルタリングが行われるようにする。
【００７１】
さらに、前記‘判例’は、質疑語入力時、検索される判例を関連性の高い順に提供して、類似判例が検索される回数の増加によりさらに正確な判例のフィルタリングが行われるようにする。
【００７２】
さらに、第２フィルタリング情報入力部３３０は、例えば、‘統合関係網’、‘法令-判例関係網’、‘法令関係網’等の特定条件情報に応じてフィルタリングして視覚的に表示される３次元形状のネットワーク構成が変更されるようにする。
【００７３】
つまり、前記‘法令関係網’は、フィルタリング条件情報が法令と法令との間の関係（例えば、準用関係、引用関係、上位法関係など）だけをフィルタリング条件として検索結果が視覚化されるようにする。
【００７４】
さらに、前記‘法令-判例関係網’は、フィルタリング条件情報が法令と判例との間の関係（例えば、判例とその判例に引用された多数の法令）を共に含むようにフィルタリング条件として検索結果が視覚化されるようにする。
【００７５】
さらに、前記‘統合関係網’は、前記‘法令関係網’と‘法令-判例関係網’によるフィルタリング条件を共に含む検索結果が視覚化されるようにする。
【００７６】
さらに、前記入力画面３００は、検索語と関連して検索頻度数に応じた推薦検索語（図示せず）が共に提供されてもよい。
【００７７】
前記情報検索サーバー２００は、前記Ｓ１００段階で生成された検索クエリーを基に情報検索ＤＢ２４０で検索を行って前記検索クエリーと関連した少なくとも一つ以上の検索結果情報を抽出する１次情報検索段階を行う（Ｓ２００）。
【００７８】
つまり、前記情報検索サーバー２００は、ユーザーが特定分野について判例情報検索を要請する場合、ユーザーが入力した検索情報から抽出した検索クエリーを基に判例情報が含まれたＤＢを検索する。
【００７９】
前記Ｓ２００段階を行った後、前記情報検索サーバー２００は、前記検索された１次情報検索結果情報から予め設定された条件情報を抽出する２次情報検索段階を行う（Ｓ３００）。
【００８０】
つまり、前記情報検索サーバー２００は、１次検索された情報検索結果から引用された法令、作成日付、作成機関などを含む条件情報に応じて２次検索する。
【００８１】
前記Ｓ３００段階を行った後、前記情報検索サーバー２００は、前記条件情報に応じて１次情報検索結果を分類して、前記条件情報と１次情報検索情報との間の類似度に基づいて関連情報がリンクを介して連結されるように設定する（Ｓ４００）。
【００８２】
前記Ｓ４００段階の連結情報が設定されると、前記情報検索サーバー２００は、ユーザーが要請した情報が視覚的に認識されるように前記条件情報、例えば、法令別関連も、法令別作成日付、法令別統計情報などを基準に２次元形状のグラフ、または３次元の幾何学的形状などで視覚化したナビゲーション画面４００に出力する（Ｓ５００）。
【００８３】
つまり、図６のように、入力された検索語に応じた検索結果は、ナビゲーション画面４００上に検索語出力画面４１０を介してS１００段階でユーザーが入力ウィンドウ３１０で入力した検索情報が表示されて、検索に応じた検索結果情報が、予め設定された条件情報、例えば、‘単語ネットワーク’を視覚化した第１情報画面４２１と、‘法令’を視覚化した第２情報画面４２２と、‘判例’を視覚化した第３情報画面４２３等に区分された２次元配列の２次元情報表示画面４２０と、前記結果情報を３次元の幾何学的関係網で配列した３次元情報表示画面４３０を介してディスプレイされるようにする。
【００８４】
前記２次元情報表示画面４２０は、検索結果情報を条件情報に応じて、第１情報画面４２１、第２情報画面４２２、第３情報画面４２３に区分した２次元配列の画面である。
【００８５】
前記第１情報画面４２１には検索語と関連した単語が２次元配列を介して表示されてユーザーが検索語と関連した追加情報の獲得や類推ができるように関連単語４２１ａが並べられる。
【００８６】
さらに、前記第２情報画面４２２には検索語と関連した法令が２次元配列を介して表示されてユーザーの所望の法令を容易に確認して選択することができるように関連法令情報４２２ａが並べられる。
【００８７】
さらに、前記第３情報画面４２３には検索語と関連した判例がメモ形態の２次元配列を介して表示されてユーザーの所望の判例を容易に確認して選択することができるように関連判例情報４２３ａが並べられる。
【００８８】
前記３次元情報表示画面４３０は、検索結果情報を条件情報である例えば、法令を基準に類似度に応じて分類して３次元の幾何学的形状（例えば、いが栗形状）と表示されるようにする。
【００８９】
前記３次元情報表示画面４３０において中央に配置された第１ノード４３１は条件情報である法令であって、１次検索で検索された結果情報の間で関連度が最も高い法令である条件情報で、前記条件情報を基準に第２ノード４３２の検索結果情報を配置してリンク４３４を介して連結することによって、ユーザーが１次検索結果と関連した関連情報と上位概念情報を容易に認識できるようにする。
【００９０】
さらに、前記第２ノード４３２は、類似の検索結果情報（例えば、判例など）をグループでまとめたクラスタリング情報４３２ａで構成してもよく、検索結果情報を個別的に区分して表示されるように構成してもよい。
【００９１】
さらに、第３ノード４３３を介して別の条件情報である法令とリンク４３５を介して連結して表示することによって、ユーザーが要求する情報をさらに容易に検索できるようにする。
【００９２】
さらに、条件情報である期間の分布に応じて分類された２次元形状の期間別分布画面４４０がナビゲーション画面４００上に配置されることができて、判例別統計値を示す２次元形状の判例別分布画面４５０も配置されることができる。
【００９３】
前記Ｓ５００段階を行った後、前記情報検索サーバー２００は、ユーザー端末１００を介して前記ナビゲーション画面４００に出力される検索結果情報及び条件情報の何れかの選択情報が入力されるか否かを判断して（Ｓ６００）、前記Ｓ６００段階で特定検索結果情報及び条件情報が選択されると、前記選択された情報と関連した情報をナビゲーション画面４００上にポップアップ画面５００，６００に出力する（Ｓ７００）。
【００９４】
さらに、前記Ｓ６００段階で２次元情報表示画面４２０と３次元情報表示画面４３０上に表示される情報及びノード中任意のものを選択すると、図７のように、関連した情報がハイライト表示されるように活性化させてユーザーがさらに容易に連結された関係網を確認できるようにする。
【００９５】
前記Ｓ７００段階のポップアップ画面は、例えば、図８のように、任意の法令情報４２２ａを選択すると、前記選択された法令情報の詳細情報を含むポップアップ画面５００がナビゲーション画面４００上の３次元情報表示画面４３０上にディスプレイされてユーザーが関連法令情報を容易に確認できるようにする。
【００９６】
さらに、前記Ｓ７００段階で、例えば、図９のように、任意の判例情報４２３ａを選択すると、前記選択された判例情報の詳細情報を含むポップアップ画面６００がナビゲーション画面４００上の３次元情報表示画面４３０上にディスプレイされてユーザーが関連判例情報を容易に確認できるようにする。
【００９７】
前記Ｓ７００段階を行った後、前記情報検索サーバー２００は、ユーザー端末１００を介して前記ナビゲーション画面４００に出力される単語ネットワークの関連単語４２１ａの選択のように追加選択情報が入力されるか否かを判断して（Ｓ８００）、前記Ｓ８００段階で追加情報の選択が入力されると、追加検索を行って追加検索結果を画面に出力する（Ｓ９００）。
【００９８】
従って、ユーザーが入力した情報から検索クエリーを抽出して法律情報の検索を行って、検索された法律情報を２次元形状または３次元形状で配置して視覚化したナビゲーション画面で提供してユーザーが検索された情報を直観的でかつ容易に認識できることになる。
【００９９】
上記のように、本発明の好ましい実施形態を参照して説明したが、該当技術分野の熟練した当業者なら特許請求の範囲に記載された本発明の思想及び領域から逸脱しない範囲内で本発明を多様に修正及び変更させる可能性があることが理解できるはずである。
【０１００】
さらに、本発明の特許請求の範囲に記載された図面番号は、説明の明瞭性と便宜のために記載したものに過ぎずこれに限定さることなく、実施形態を説明する過程で図面に図示された線の厚さや構成要素の大きさなどは、説明の明瞭性と便宜上誇張されるように図示されていることがあり、上述された用語は、本発明における機能を考慮して定義された用語であって、これはユーザー、運用者の意図または慣例により変わることがあるため、このような用語に対する解釈は、本明細書全般にわたる内容に基づいて下されなければならない。
【符号の説明】
【０１０１】
１００  ユーザー端末
２００  情報検索サーバー
２１０  質疑分析モジュール
２２０  情報検索モジュール
２２１  情報検索部
２２２  関連情報検索部
２２３  検索情報分析部
２３０  ナビゲーションモジュール
２４０  情報検索ＤＢ
３００  入力画面
３１０  入力ウィンドウ
３１１  検索語
３２０  第１フィルタリング情報入力部
３３０  第２フィルタリング情報入力部
４００  ナビゲーション画面
４１０  検索語出力画面
４２０  ２次元情報表示画面
４２１  第１情報画面
４２１ａ  関連単語
４２２  第２情報画面
４２２ａ  法令情報
４２３  第３情報画面
４２３ａ  判例情報
４３０  ３次元情報表示画面
４３１  第１ノード
４３２  第２ノード
４２３ａ  クラスタリング情報
４３３  第３ノード
４３４  リンク
４３５  リンク
４４０  期間別分布画面
４４１  結果情報
４５０  判例別分布画面
５００，６００  ポップアップ画面
【図１】
0006860659.tif 000002
【図２】
0006860659.tif 000003
【図３】
0006860659.tif 000004
【図４】
0006860659.tif 000005
【図５】
0006860659.tif 000006
【図６】
0006860659.tif 000007
【図７】
0006860659.tif 000008
【図８】
0006860659.tif 000009
【図９】
0006860659.tif 000010